(57)【要約】【課題】  利用者が再撮像の指示を受けるのに時間が掛かり、認証完了までに多大な時間を要した。【解決手段】  利用者の眼画像を撮像して、眼画像データを取得する撮影部と取得した眼画像データから、その濃淡に基づいて抽出すべき虹彩領域を示す虹彩領域情報を生成する虹彩領域情報生成部とを有する携帯端末と、虹彩領域情報に基づいて虹彩データを生成すると共に、虹彩データに基づいて認証を行う本人認証装置とを備える本人認証システムで、携帯端末は生成した虹彩領域情報に基づいて虹彩領域を示す眼画像を表示する表示部と、眼画像に対して利用者が虹彩領域の有効及び無効のいずれかを示す信号を入力する入力部と、入力部から虹彩領域有効信号を受けると、虹彩領域情報を本人認証装置に送信し、虹彩領域無効信号を受けると、撮影部を起動させ、再撮影を利用者に指示する指示制御部とを備える。【選択図】        図１
2006201920.tif 000002
【特許請求の範囲】
【請求項１】
利用者の眼画像を撮像して、眼画像データを取得する撮影部と前記取得した眼画像データから、その濃淡に基づいて抽出すべき虹彩領域を示す虹彩領域情報を生成する虹彩領域情報生成部とを有する携帯端末と、前記虹彩領域情報が示す虹彩領域に基づいて虹彩データを生成すると共に、前記虹彩データに基づいて、利用者の認証を行う本人認証装置とを備える本人認証システムにおいて、
前記携帯端末は、
前記生成した虹彩領域情報に基づいて、前記虹彩領域を示す眼画像の表示を行う表示部と、
前記眼画像に対して、利用者が前記虹彩領域の有効及び無効のいずれかを示す信号を入力する入力部と、
前記入力部から虹彩領域有効信号を受けると、前記虹彩領域情報を前記本人認証装置に送信し、虹彩領域無効信号を受けると、前記撮影部を起動させ、眼画像の再撮影を利用者に指示する指示制御部とを備えることを特徴とする本人認証システム。
【請求項２】
利用者の眼画像を撮像して、眼画像データを取得する撮影部を有する携帯端末と、前記取得した眼画像データから、その濃淡に基づいて抽出すべき虹彩領域を示す虹彩領域情報を生成する虹彩領域情報生成部と前記虹彩領域情報が示す虹彩領域に基づいて虹彩データを生成する虹彩データ生成部と前記生成された虹彩データに基づいて、利用者の認証を行う認証部とを有する本人認証装置とを備える本人認証システムにおいて、
前記携帯端末は、
前記生成した虹彩領域情報に基づいて、前記虹彩領域を示す眼画像の表示を行う表示部と、
前記眼画像に対して、利用者が前記虹彩領域の有効及び無効のいずれかを示す信号を入力する入力部と、
前記入力部から虹彩領域有効信号を受けると、虹彩領域情報を前記本人認証装置に送信し、虹彩領域無効信号を受けると、前記撮影部を起動させ、眼画像の再撮影を利用者に指示する指示制御部とを備えることを特徴とする本人認証システム。
【請求項３】
前記携帯端末は、
予め所定の虹彩領域を示す設定虹彩領域情報を保持しており、前記入力部より虹彩領域無効信号を受けると、前記表示部の眼画像に示された虹彩領域を設定虹彩領域情報が示す虹彩領域に変更する虹彩領域変更部を備え、
前記表示部は、前記虹彩領域変更部が前記虹彩領域を変更すると、前記変更された虹彩領域を示す眼画像の表示を行うことを特徴とする請求項１及び２のいずれかに記載の本人認証システム。
【請求項４】
前記携帯端末は、
前記表示部が前記虹彩領域を示す眼画像を表示すると、利用者の操作で、前記虹彩領域を調整するための調整制御信号を出力する調整操作部と、
前記調整操作部より調整制御信号を受けると、該調整制御信号に基づいて前記虹彩領域を調整する虹彩領域調整部とを備え、
前記表示部は、前記虹彩領域調整部が前記虹彩領域を調整する毎に前記調整された虹彩領域を示す眼画像の表示を行うことを特徴とする請求項１及び２のいずれかに記載の本人認証システム。
【請求項５】
前記表示部は、前記撮影部により眼画像データが取得されると、前記眼画像の表示を行い、
前記携帯端末は、
前記表示部が眼画像を表示すると、利用者の操作で、前記眼画像の中心位置を調整するための中心位置調整信号を出力する操作部と、
前記操作部より中心位置調整信号を受けると、該中心位置調整信号に基づいて前記眼画像の中心位置を調整する中心位置移動部とを備えることを特徴とする請求項１及び２のいずれかに記載の本人認証システム。
【請求項６】
前記本人認証装置は、
前記撮影部が取得した眼画像データの補正量を前記眼画像データに含まれる画像ドット数で示した補正画像ドット情報を取得する補正画像ドット取得部と、
前記本人認証装置が眼画像データの補正量が大きいために認証不可と判定することを防止できる画像ドット数を示した基準画像ドット情報を予め保持しており、前記補正画像ドット取得部が補正画像ドット情報を取得すると、前記補正画像ドット情報及び前記基準画像ドット情報を比較し、前記補正画像ドット情報が前記基準画像ドット情報より大きいと、警告要と判定する警告要否判定部と、
前記警告要否判定部が警告要と判定すると、前記表示部に眼画像の再撮影を指示する警告を表示させる警告部とを備えることを特徴とする請求項１及び２のいずれかに記載の本人認証システム。
【請求項７】
前記本人認証装置は、
前記警告要否判定部が警告要と判定すると、前記眼画像データにおける補正画像ドットの位置を示す補正ドット位置情報を取得する補正画像ドット位置取得部を備え、
前記警告部は、補正画像ドット位置取得部から補正ドット位置情報を受けると、該補正ドット位置情報に基づいて、補正画像ドットが眼画像データに散在していると判定すると、撮影場所の変更を指示する警告情報を携帯端末に送信し、補正画像ドットが眼画像データの特定領域に集中的に存在していると判定すると、撮影方向の変更を指示する警告情報を携帯端末に送信することを特徴とする請求項６記載の本人認証システム。
【発明の詳細な説明】
【技術分野】
【０００１】
本発明は、利用者の虹彩データを利用して本人認証を行う本人認証システムに関し、特に、カメラ等の撮影部を有する携帯端末により取得される眼画像データから生成される虹彩領域情報に基づいた虹彩領域を示す眼画像を利用者に対して表示する本人認証システムに関する。
【背景技術】
【０００２】
精巧な本人認証ができることから人間の虹彩を利用して本人認証を行う本人認証システムが知られている。この本人認証システムには、例えば、下記の特許文献１及び２に記載されているように、カメラ等の撮影部により利用者の眼画像を撮像して、眼画像データを取得する携帯端末と、眼画像データから、その濃淡に基づいて抽出すべき虹彩領域を示す虹彩領域情報を生成し、該生成された虹彩領域情報に基づいて、虹彩データを生成すると共に、該虹彩データに基づいて、利用者の認証を行う本人認証装置とから構成されているものが知られている。
【特許文献１】特開２００２−３３０３１８公報
【特許文献２】特開平１１−３４７０１６公報
【発明の開示】
【発明が解決しようとする課題】
【０００３】
しかしながら、上述したようなカメラ等の撮影部を有した携帯端末を用いる本人認証システムでは、次のような解決すべき課題があった。即ち、撮影場所や撮影方向等の多様な撮影環境が存在するため、利用者が撮影環境に応じて携帯端末を操作することが難しく、従って、所望の眼画像データを取得することが困難であった。また、本人認証装置は、照明の映り込み等を含む不良眼画像データであっても、眼画像データを受信すると、該眼画像データに基づいて、一連の認証処理を実行し、虹彩データを不良と判定してから、利用者に再撮像の指示を行う。このため、利用者は、再撮像の指示を受けるのに時間がかかり、本人認証に多大な時間を要してしまう問題があった。
【課題を解決するための手段】
【０００４】
本発明は、以上の点を解決するために、次の構成を採用する。
〈構成１〉
利用者の眼画像を撮像して、眼画像データを取得する撮影部と前記取得した眼画像データから、その濃淡に基づいて抽出すべき虹彩領域を示す虹彩領域情報を生成する虹彩領域情報生成部とを有する携帯端末と、前記虹彩領域情報が示す虹彩領域に基づいて虹彩データを生成すると共に、前記虹彩データに基づいて、利用者の認証を行う本人認証装置とを備える本人認証システムにおいて、前記携帯端末は、前記生成した虹彩領域情報に基づいて、前記虹彩領域を示す眼画像の表示を行う表示部と、前記眼画像に対して、利用者が前記虹彩領域の有効及び無効のいずれかを示す信号を入力する入力部と、前記入力部から虹彩領域有効信号を受けると、前記虹彩領域情報を前記本人認証装置に送信し、虹彩領域無効信号を受けると、前記撮影部を起動させ、眼画像の再撮影を利用者に指示する指示制御部とを備えることを特徴とする。
〈構成２〉
利用者の眼画像を撮像して、眼画像データを取得する撮影部を有する携帯端末と、前記取得した眼画像データから、その濃淡に基づいて抽出すべき虹彩領域を示す虹彩領域情報を生成する虹彩領域情報生成部と前記虹彩領域情報が示す虹彩領域に基づいて虹彩データを生成する虹彩データ生成部と前記生成された虹彩データに基づいて、利用者の認証を行う認証部とを有する本人認証装置とを備える本人認証システムにおいて、前記携帯端末は、前記生成した虹彩領域情報に基づいて、前記虹彩領域を示す眼画像の表示を行う表示部と、前記眼画像に対して、利用者が前記虹彩領域の有効及び無効のいずれかを示す信号を入力する入力部と、前記入力部から虹彩領域有効信号を受けると、虹彩領域情報を前記本人認証装置に送信し、虹彩領域無効信号を受けると、前記撮影部を起動させ、眼画像の再撮影を利用者に指示する指示制御部とを備えることを特徴とする。
〈構成３〉
構成１及び２のいずれかの本人認証システムにおいて、前記携帯端末は、予め所定の虹彩領域を示す設定虹彩領域情報を保持しており、前記入力部より虹彩領域無効信号を受けると、前記表示部の眼画像に示された虹彩領域を設定虹彩領域情報が示す虹彩領域に変更する虹彩領域変更部を備え、前記表示部は、前記虹彩領域変更部が前記虹彩領域を変更すると、前記変更された虹彩領域を示す眼画像の表示を行うことを特徴とする。
〈構成４〉
構成１及び２のいずれかの本人認証システムにおいて、前記携帯端末は、前記表示部が前記虹彩領域を示す眼画像を表示すると、利用者の操作で、前記虹彩領域を調整するための調整制御信号を出力する調整操作部と、前記調整操作部より調整制御信号を受けると、該調整制御信号に基づいて前記虹彩領域を調整する虹彩領域調整部とを備え、前記表示部は、前記虹彩領域調整部が前記虹彩領域を調整する毎に前記調整された虹彩領域を示す眼画像の表示を行うことを特徴とする。
〈構成５〉
構成１及び２のいずれかの本人認証システムにおいて、前記表示部は、前記撮影部により眼画像データが取得されると、前記眼画像の表示を行い、前記携帯端末は、前記表示部が眼画像を表示すると、利用者の操作で、前記眼画像の中心位置を調整するための中心位置調整信号を出力する操作部と、前記操作部より中心位置調整信号を受けると、該中心位置調整信号に基づいて前記眼画像の中心位置を調整する中心位置移動部とを備えることを特徴とする。
〈構成６〉
構成１及び２のいずれかの本人認証システムにおいて、前記本人認証装置は、前記撮影部が取得した眼画像データの補正量を前記眼画像データに含まれる画像ドット数で示した補正画像ドットを取得する補正画像ドット取得部と、前記本人認証装置が眼画像データの補正量が大きいために本人認証不可と判定することを防止できる画像ドット数を示した基準補正画像ドットを予め保持しており、前記補正画像ドット取得部が補正画像ドットを取得すると、前記補正画像ドット及び前記基準補正画像ドットを比較し、前記補正画像ドットが前記基準補正画像ドットより大きいと、警告要と判定する警告要否判定部と、前記警告要否判定部が警告要と判定すると、前記表示部に眼画像の再撮影を指示する警告を表示させる警告部とを備えることを特徴とする。
〈構成７〉
構成６の本人認証システムにおいて、前記本人認証装置は、前記警告要否判定部が警告要と判定すると、前記眼画像データにおける補正画像ドットの位置を示す補正ドット位置情報を取得する補正画像ドット位置取得部を備え、前記警告部は、補正画像ドット位置取得部から補正ドット位置情報を受けると、該補正ドット位置情報に基づいて、補正画像ドットが眼画像データに散在していると判定すると、前記表示部に撮影場所の変更を指示する警告画面を表示させるべく、撮影場所の変更を示す場所変更警告情報を携帯端末に送信し、補正画像ドットが眼画像データの特定領域に集中的に存在していると判定すると、前記表示部に撮影方向の変更を指示する警告画面を表示させるべく、撮影方向の変更を示す方向変更警告情報を携帯端末に送信することを特徴とする。
【発明の効果】
【０００５】
本発明の本人認証システムによれば、携帯端末の撮影部により取得される眼画像データから、その濃淡に基づいて虹彩領域情報が生成されると、該生成された虹彩領域情報に基づいて虹彩領域を示す眼画像を利用者に対して、虹彩領域が有効か否かの判定をできるように表示すると共に、本人認証装置の認証処理を一時的に停止させ、携帯端末より有効信号及び無効信号を本人認証装置へ送信するようにしたので、有効の場合、本人認証装置によりそのまま認証を続行させることができ、無効の場合には、利用者に対して眼画像の再撮像を指示することができる。従って、利用者は、不良な眼画像を撮像しても瞬時に再撮像を行うことができ、従って、本人認証に要する時間を短縮できる。
【発明を実施するための最良の形態】
【０００６】
以下、本発明の実施形態を図を用いて詳細に説明する。
【実施例１】
【０００７】
〈実施例１の構成〉
図１及び図２は、本発明の一実施の形態を示す図である。
【０００８】
図１に示すように、本発明の本人認証システムは、携帯端末１００及び本人認証装置２００から構成されている。
【０００９】
本人認証装置２００は、図２に示すように、利用者の虹彩を利用して本人認証を行う装置であり、制御部２１、眼画像データ補正部２２、虹彩領域情報生成部２３、虹彩データ生成部２４、登録虹彩データ記憶部２５、認証部２６を有している。
【００１０】
登録虹彩データ記憶部２５は、認証部２６により参照される記憶部であり、予め生成された利用者の虹彩データが登録虹彩データとして格納されている。
【００１１】
制御部２１は、いわゆるＣＰＵであり、本人認証装置２００を統括制御する。この制御部２１は、後述するように携帯端末１００から眼画像データを受信すると、該眼画像データを眼画像データ補正部２２に転送する。
【００１２】
眼画像データ補正部２２は、該眼画像データの補正を行う部であり、該眼画像データを受けると、該眼画像データに含まれる照明の映り込み等の画像ノイズを消し込む補正を行う。
【００１３】
虹彩領域情報生成部２３は、該眼画像データから抽出すべき虹彩領域を示す虹彩領域情報を生成する部であり、眼画像データ補正部２２より眼画像データを受けると、該眼画像データの濃淡に基づいて、図１９に示すように、虹彩の外周部及び内周部（輪郭）を決定することで、抽出すべき虹彩領域を示す虹彩領域情報を生成する。
【００１４】
以下の説明において、眼画像に対して、図１９の（ａ）に示されるように、虹彩の外周部及び内周部が特定されたものを有効な虹彩領域とし、眼画像に対して、例えば、図１９の（ｂ）に示されるように、虹彩に対して内周部が外周部方向にズレて特定されているものを無効な虹彩領域とする。
【００１５】
また、利用者が上述した有効、或いは、無効な虹彩領域を判断するために、予め利用者に配布されたマニュアル等により、後述の表示部１１より表示される有効な虹彩領域を示す眼画像及び無効な虹彩領域を示す眼画像に関する説明がなされているものとする。
【００１６】
制御部２１は、虹彩領域情報生成部２３が虹彩領域情報を生成すると、該生成された虹彩領域情報を図示しないメモリに保持すると共に、該虹彩領域情報を携帯端末１００に送信し、後述するように、利用者により撮像された自己の眼画像から抽出された虹彩領域が有効か否かの判定がなされ、携帯端末１００より認証処理の中止、又は継続を指示するいずれかの信号を受信するまで認証処理を停止する。
【００１７】
携帯端末１００から認証中止信号を受信すると、制御部２１は、停止していた認証処理を中止すると共に、メモリに保持していた眼画像データ及び虹彩領域情報を破棄する。
【００１８】
認証継続信号を受信すると、制御部２１は、停止していた認証処理を継続すべく、保持していた虹彩領域情報を虹彩データ生成部２４に転送する。
【００１９】
虹彩データ生成部２４は、本人認証に必要な虹彩データを生成する部であり、制御部２１より、虹彩領域情報を受信すると、眼画像データから虹彩領域情報が示す虹彩領域を抽出し、虹彩データを生成する。
【００２０】
認証部２６は、利用者の本人認証を行う部であり、虹彩データ生成部２４より生成された虹彩データを受けると、登録虹彩データ記憶部２５を参照し、虹彩データに一致又は一定レベル以上の類似する登録虹彩データが存在すると、認証有効と判定し、虹彩データに一致する虹彩登録データが存在しないと、認証無効と判定する。
【００２１】
携帯端末１００は、本人認証を行うべく、本人認証装置２００と通信する端末であり、図２に示すように、撮影部１０、表示部１１、入力部１２、指示制御部１３、制御部１４を有している。
【００２２】
制御部１４は、いわゆるＣＰＵであり、携帯端末１００を統括制御する。
【００２３】
撮影部１０は、利用者の眼画像を撮像して、眼画像データを取得する部であり、レンズ及びＣＣＤ等の撮像素子等から構成されている。この撮影部１０は、入力部１２より撮影指示信号を受けると、利用者の眼画像を撮像して、眼画像データを取得する。
【００２４】
表示部１１は、液晶等から構成される部であり、上述したように、本人認証装置２００より生成された虹彩領域情報を受けると、該虹彩領域情報に基づいて虹彩領域が示された眼画像を表示する。これにより、利用者は撮像された自己の眼画像から抽出される虹彩領域が有効か否かを判定することができる。
【００２５】
入力部１２は、利用者からの入力を受け付ける部であり、表示部１１に表示された眼画像に対して、利用者が虹彩領域の有効及び無効のいずれかを示す信号を入力する。
【００２６】
指示制御部１３は、利用者からの指示を制御する部であり、入力部１２から入力した虹彩領域有効信号を受けると、本人認証装置２００で停止している認証処理の継続を指示する認証継続信号を本人認証装置２００に送信する。これにより、上記したように、本人認証装置２００は、該認証継続信号を受信すると、停止していた認証処理を保持していた眼画像データ及び虹彩領域情報に基づいて継続する。
【００２７】
虹彩領域無効信号を受けると、指示制御部１３は、利用者に対して眼画像の再撮影を促す画面を表示部１１に表示させると共に、撮影部１０を起動させ、眼画像の再撮影を利用者に指示する。この際に、指示制御部１３は、本人認証装置２００で停止している認証処理の中止を指示する認証中止信号を本人認証装置２００に送信する。これにより、上記したように、本人認証装置２００は、該認証中止信号を受信すると、停止していた認証処理を中止すると共に、保持していた眼画像データ及び虹彩領域情報を破棄する。
【００２８】
〈実施例１の動作〉
実施例１における本人認証システムの動作について説明を行う。
【００２９】
図３は、実施例１の本人認証システムの動作フローチャートである。
【００３０】
まず、利用者は携帯端末１００を操作して眼画像の撮影を行う。即ち、携帯端末１００の制御部１４は、利用者の操作で撮影部１０を起動させると、撮影部１０は、入力部１２からの撮影指示信号の入力を待つ（ステップＳ１）。
【００３１】
撮影部１０は、利用者の操作で、入力部１２より撮影指示信号を受けると、利用者の眼画像を撮像して、眼画像データを取得する（ステップＳ２）。
【００３２】
制御部１４は、撮影部１０が眼画像データを取得すると、該取得した眼画像データを本人認証装置２００に送信する。
【００３３】
本人認証装置２００の制御部２１は、携帯端末１００から眼画像データを受信すると、該眼画像データを図示しないメモリに格納した上で眼画像データ補正部２２に転送する。
【００３４】
眼画像データ補正部２２は、眼画像データを受けると、該眼画像データに含まれる照明の映り込み等による画像ノイズの消し込み補正を行う（ステップＳ３）。
【００３５】
虹彩領域情報生成部２３は、眼画像データ補正部２２より眼画像データを受けると、該眼画像データの濃淡に基づいて、虹彩の外周部及び内周部（輪郭）を決定することで、抽出すべき虹彩領域を示す虹彩領域情報を生成する（ステップＳ４）。
【００３６】
制御部２１は、虹彩領域情報生成部２３が虹彩領域情報を生成すると、該生成された虹彩領域情報を図示しないメモリに保持すると共に、該虹彩領域情報を携帯端末１００に送信し、利用者により撮像された自己の眼画像から抽出された虹彩領域が有効か否かの判定がなされ、携帯端末１００より認証処理の中止、又は継続を指示するいずれかの信号を受信するまで認証処理を停止する。
【００３７】
携帯端末１００の制御部１４は、本人認証装置２００より生成された虹彩領域情報を受信すると、該虹彩領域情報を表示部１１に転送する。
【００３８】
表示部１１は、虹彩領域情報を受けると、該虹彩領域情報に基づいて虹彩領域が示された眼画像を表示する（ステップＳ５）。これにより、利用者は撮像された自己の眼画像から抽出される虹彩領域が有効か否かを判定することができる。
【００３９】
利用者が表示部１１に表示された眼画像に対して、無効な虹彩領域が示されていると判定すると、携帯端末１００の入力部１２を操作して、虹彩領域無効信号を指示制御部１３に出力する（ステップＳ６）。
【００４０】
指示制御部１３は、入力部１２から虹彩領域無効信号を受けると、利用者に対して眼画像の再撮影を促す画面を表示部１１に表示させると共に、撮影部１０を起動させ、眼画像の再撮影を利用者に指示する。この際に、指示制御部１３は、本人認証装置２００で停止している認証処理の中止を指示する認証中止信号を本人認証装置２００に送信する。これにより、本人認証装置２００は、該認証中止信号を受信すると、停止していた認証処理を中止すると共に、保持していた眼画像データ及び虹彩領域情報を破棄する。
【００４１】
指示制御部１３は、入力部１２から虹彩領域有効信号を受けると、本人認証装置２００で停止している認証処理の継続を指示する認証継続信号を本人認証装置２００に送信する。
【００４２】
本人認証装置２００の制御部２１は、該認証継続信号を受信すると、停止していた認証処理を継続すべく、保持していた虹彩領域情報を虹彩データ生成部２４に転送する。
【００４３】
虹彩データ生成部２４は、虹彩領域情報を受けると、図示しないメモリに保持された眼画像データを取得し、眼画像データから虹彩領域情報が示す虹彩領域に基づいて虹彩データを生成する（ステップＳ７）。
【００４４】
認証部２６は、虹彩データ生成部２４より虹彩データを受けると、該虹彩データに基づいて、登録虹彩データ記憶部２５を参照し、虹彩データに一致する登録虹彩データが存在すると、認証有効と判定し、虹彩データに一致する虹彩登録データが存在しないと、認証無効と判定することで本人認証を行う（ステップＳ８）。
【００４５】
本人認証装置２００の制御部２１は、認証部２６が本人認証を完了すると、認証結果画面を図示しない表示部を介して利用者に対して表示する（ステップＳ９）。
【００４６】
〈実施例１の効果〉
実施例１の本人認証システムによれば、携帯端末１００の撮影部１０により取得される眼画像データから、その濃淡に基づいて虹彩領域情報が生成されると、該生成された虹彩領域情報に基づいて虹彩領域を示す眼画像を利用者に対して虹彩領域が有効か否かの判定をできるように表示すると共に、本人認証装置２００の認証処理を一時的に停止させ、携帯端末１００より有効信号及び無効信号を本人認証装置２００へ送信するようにしたので、有効の場合、本人認証装置２００によりそのまま認証を続行させることができ、無効の場合には、利用者に対して眼画像の再撮像を指示することができる。従って、利用者は、不良な眼画像を撮像しても瞬時に再撮像を行うことができ、従って、本人認証に要する時間を短縮できる。
【実施例２】
【００４７】
本実施例では、良好な眼画像データであっても、その眼画像データにおける瞳孔の境界周辺の濃淡が不明瞭である場合がしばしばあり、この場合、虹彩領域情報生成部２３が同様に無効な虹彩領域情報を生成してしまう虞があるのを解消すべく以下のような構成を備えることとした。
【００４８】
〈実施例２の構成〉
図４は、実施例２の本人認証システムのブロック構成図である。
【００４９】
図４に示すように、実施例２の本人認証システムでは、実施例１の構成に加え、本人認証装置２００に設定虹彩領域情報記憶部２７及び虹彩領域変更部２８を備えている。
【００５０】
設定虹彩領域情報記憶部２７は、設定虹彩領域情報が格納された記憶部である。この設定虹彩領域情報とは、実施例１における虹彩領域情報と同様に、虹彩の内周部及び外周部に基づいて虹彩領域を示した情報であり（図１９参照）、設定虹彩領域情報記憶部２７には、予め虹彩の内周部及び外周部（輪郭）の直径の大きさが異なる複数の設定虹彩領域情報が保持されている。さらに、各設定虹彩領域情報には、各設定虹彩領域情報が虹彩領域の変更に使用されたか否かを示すフラグ情報が対応付けられており、初期設定として、未使用を示すフラグ情報が設定されている。
【００５１】
実施例２の指示制御部１３は、虹彩領域無効信号を受けると、本人認証装置２００に虹彩領域変更を指示する虹彩領域変更信号を送信する。
【００５２】
虹彩領域変更部２８は、虹彩領域の変更を行う部であり、制御部２１を介して虹彩領域変更指示信号を受信すると、設定虹彩領域情報記憶部２７の最先アドレスに格納されている設定虹彩領域情報から順番にフラグ情報を参照していき、未使用を示すフラグ情報があると、対応する設定虹彩領域情報を虹彩領域情報生成部２３に供給する。この際に、虹彩領域変更部２８は、供給した設定虹彩領域情報に対応するフラグ情報を未使用から使用済に変更する。
【００５３】
虹彩領域情報生成部２３は、設定虹彩領域情報を受けると、この設定虹彩領域情報を利用して眼画像データに対し再切り出し処理を実行し、該処理が不能であると、供給要求信号を虹彩領域変更部２８に出力し、該処理を繰り返す。そして、切り出し処理ができた場合、制御部２１は、この設定虹彩領域情報を携帯端末１００に送信する。
【００５４】
携帯端末１００の制御部１４は、設定虹彩領域情報を受信すると、設定虹彩領域情報を表示部１１に転送し、表示部１１は、設定虹彩領域情報を受けると、該設定虹彩領域情報に基づく虹彩領域を示した眼画像を表示する。これにより、利用者は、再度、虹彩領域情報が有効に特定されているか否かの判定ができる。
【００５５】
虹彩領域変更部２８は、全てのフラグ情報が使用済となった場合、変更不可と判定し、虹彩領域情報生成部２３に終了通知を行う。一方、制御部２１は、変更不可信号を携帯端末１００に送信すると共に、眼画像データ等を破棄する。この際に、虹彩領域変更部２８は、全てのフラグ情報の初期化を行う。
【００５６】
携帯端末１００の指示制御部１３は、本人認証装置２００より変更不可信号を受信すると、利用者に眼画像の再撮影を指示する画面を表示部１１に表示させると共に、撮影部１０を起動させる。
【００５７】
〈実施例２の動作〉
実施例２における本人認証システムの動作について説明を行う。
【００５８】
図５は、実施例２の本人認証システムの動作フローチャートである。
【００５９】
図５において、ステップＳ１〜Ｓ５、Ｓ７〜Ｓ９までは、実施例１と同様であるので、ここでは、利用者が虹彩領域を無効と判定した場合、虹彩領域が変更される動作について説明を行う。
【００６０】
図６は、実施例２における虹彩領域の変更動作の例示図である。
【００６１】
本実施例では、携帯端末１００の撮影部１０により、図６の（ａ）に示すような正常な眼画像データが取得され、本人認証装置２００に送信されたが、該眼画像データにおける瞳孔の境界周辺の濃淡が不明瞭であることから、虹彩領域情報生成部２３が誤って虹彩の虹彩領域よりも内周部の直径が小さい虹彩領域情報を生成してしまい、図９の（ｂ）に示すような虹彩領域を示した眼画像が表示部１１に表示されていることとする。
【００６２】
利用者が表示部１１に表示された眼画像にしたがって、該虹彩領域を無効と判定すべく、携帯端末１００の入力部１２を操作して、虹彩領域無効信号を指示制御部１３に出力する（ステップＳ６）。
【００６３】
指示制御部１３は、虹彩領域無効信号を受けると、本人認証装置２００に虹彩領域変更指示信号を送信する。
【００６４】
本人認証装置２００の虹彩領域変更部２８は、制御部２１を介して虹彩領域変更指示信号を受信すると、設定虹彩領域情報記憶部２７の最先アドレスに格納されている設定虹彩領域情報から順番にフラグ情報を参照していき、未使用を示すフラグ情報があると、対応する設定虹彩領域情報を虹彩領域情報生成部２３に供給する。虹彩領域情報生成部２３は、この設定虹彩領域情報を利用して眼画像データに対し再切り出し処理を実行し、該処理が不能であると、供給要求信号を虹彩領域変更部２８に出力し、該処理を繰り返す。そして、切り出し処理ができた場合、制御部２１は、この設定虹彩領域情報を携帯端末１００に送信する。この際に、虹彩領域変更部２８は、送信した設定虹彩領域情報に対応するフラグ情報を未使用から使用済に変更する（ステップＳ１０＆１１）。
【００６５】
携帯端末１００の制御部１４は、本人認証装置２００より設定虹彩領域情報を受信すると、設定虹彩領域情報を表示部１１に転送し、表示部１１は、設定虹彩領域情報を受けると、該設定虹彩領域情報に基づく虹彩領域を示す眼画像を表示する。
【００６６】
利用者は表示部１１に眼画像が表示されると、（ｃ）に示すような虹彩領域が特定されているか否かの判定を行い、利用者が有効と判定した場合、以降、実施例１と同様に動作する。この際、虹彩領域変更部２８は、全てのフラグ情報の初期化を行う。
【００６７】
虹彩領域変更部２８は、全てのフラグ情報が使用済となった場合、変更不可と判定し、虹彩領域情報生成部２３に終了通知を行う。一方、制御部２１は、変更不可信号を携帯端末１００に送信すると共に、眼画像データ等を破棄する。この際に、虹彩領域変更部２８は、全てのフラグ情報の初期化を行う。
【００６８】
携帯端末１００の指示制御部１３は、本人認証装置２００より変更不可信号を受信すると、利用者に眼画像の再撮影を指示する画面を表示部１１に表示させると共に、撮影部１０を起動させる。尚、上記した切り出し処理のリトライ動作は、二回以上であってもよい。
【００６９】
〈実施例２の効果〉
実施例２の本人認証システムによれば、携帯端末１００の撮影部１０により取得される眼画像データから、その濃淡に基づいて虹彩領域情報が生成されると、該生成された虹彩領域情報に基づいて虹彩領域を示す眼画像を利用者に対して虹彩領域が有効か否かの判定をできるように表示すると共に、本人認証装置２００の認証処理を一時的に停止させ、有効の場合、携帯端末１００より有効信号を本人認証装置２００へ送信するようにしたので、本人認証装置２００によりそのまま認証を続行させることができ、無効の場合、虹彩領域変更部２８で瞬時に虹彩領域の調整を行い、所望の虹彩領域に変更できると、携帯端末１００より有効信号を本人認証装置２００へ送信し、認証を続行させることができ、さらに、虹彩領域の変更が不可であると、携帯端末１００より無効信号を本人認証装置２００へ送信し、利用者に対して瞬時に眼画像の再撮像を指示することができる。従って、本人認証に要する時間を短縮できる。
【実施例３】
【００７０】
本実施例では、携帯端末側で虹彩領域の設定を行うべく以下のような構成を備えている。
【００７１】
〈実施例３の構成〉
図７は、実施例３の本人認証システムのブロック構成図である。
【００７２】
図７に示すように、実施例３の本人認証システムでは、実施例１の構成に加え、携帯端末１００に虹彩領域の調整操作ボタン１６、虹彩領域調整部１５を備えている。
【００７３】
この調整操作ボタン１６は、虹彩領域情報に基づいて示される虹彩領域の調整指示を行う部であり、表示部１１の表示画面に対して、上、下、左、右位置を押下可能な操作ボタンを用いており、該操作ボタンを左位置に押下させると、内周部から外周部へ、或いは、外周部から内周部へと調整すべき対象の切り替えを制御する対象切替信号を出力し、上位置を押下させると、調整対象となっている内周部又は外周部の直径を大きく変更させる拡大変更信号を出力し、下位置を押下させると、調整対象となっている内周部又は外周部の直径を小さく変更させる縮小変更信号を出力し、右位置を押下させると、虹彩領域の調整完了を示す調整完了信号を出力する。
【００７４】
実施例３における指示制御部１３は、虹彩領域無効信号を受けると、虹彩領域調整部１５に虹彩領域の調整を指示する調整指示信号を出力する。
【００７５】
虹彩領域調整部１５は、調整操作ボタン１６より出力される制御信号に基づいて、虹彩領域を調整する部であり、指示制御部１３より調整指示信号を受けると、虹彩領域の調整を開始する。即ち、利用者の操作で調整操作ボタン１６から出力される制御信号に基づいて、虹彩領域の内周部又は外周部の直径を変更する。虹彩領域調整部１５には、初期設定として、調整対象は外周部に設定されていることとする。
【００７６】
〈実施例３の動作〉
実施例３における本人認証システムの動作について説明を行う。
【００７７】
図８は、実施例３の本人認証システムの動作フローチャートである。
【００７８】
図８において、ステップＳ１〜Ｓ５、Ｓ７〜Ｓ９までは、実施例１と同様であるので、ここでは、利用者が虹彩領域を無効と判定した場合に虹彩領域が変更される動作について説明を行う。
【００７９】
図９は、実施例３の虹彩領域の調整動作を示す例示図である。
【００８０】
実施例３では、携帯端末１００の撮影部１０により、図９の（ａ）に示すような正常な眼画像データが取得され、本人認証装置２００に送信されたが、該眼画像データにおける瞳孔の境界周辺の濃淡が不明瞭であることから、虹彩領域情報生成部２３が誤って虹彩の虹彩領域よりも内周部の直径が小さい虹彩領域情報を生成してしまい、図９の（ｂ）に示すような虹彩領域を示した眼画像が表示部１１に表示されていることとする。
【００８１】
利用者が表示部１１に表示された眼画像の虹彩領域を無効と判定すると、携帯端末１００の入力部１２を操作して、虹彩領域無効信号を指示制御部１３に出力する（ステップＳ６）。
【００８２】
指示制御部１３は、虹彩領域無効信号を受けると、虹彩領域調整部１５に虹彩領域の調整を指示する調整指示信号を出力する。
【００８３】
虹彩領域調整部１５は、指示制御部１３より虹彩領域調整指示信号を受けると、虹彩領域の調整を開始する（ステップＳ１０）。
【００８４】
即ち、利用者は、まず、調整操作ボタン１６の左位置を押下させ、調整すべき対象を初期設定の外周部から内周部へとすべく、対象切替信号を虹彩領域調整部１５に出力し、虹彩領域調整部１５は、対象切替信号を受けると、調整対象を内周部に設定する。
【００８５】
次に、利用者は、調整対象である内周部の直径を拡大するために、調整操作ボタン１６の上位置を押下させ、拡大変更信号を出力し、虹彩領域調整部１５は、拡大変更信号を受ける毎に内周部の直径を拡大調整し、該調整された虹彩領域情報を表示部１１に転送する。
【００８６】
表示部１１は、調整された虹彩領域情報を受ける毎に該虹彩領域情報に基づいて虹彩領域を示す眼画像の表示を行う。
【００８７】
利用者は、表示部１１に表示される眼画像にしたがって眼画像が（ｃ）に示すような虹彩領域を示すまで、虹彩領域の調整を繰り返し、表示部１１が（ｃ）に示すような眼画像を表示すると、調整操作ボタン１６の右位置を押下させ、虹彩領域の調整完了と制御する調整完了信号を虹彩領域調整部１５に出力する。
【００８８】
虹彩領域調整部１５は、調整完了信号を受けると、該調整完了信号を指示制御部１３に転送し、指示制御部１３は、該調整完了信号を受けると、該調整された虹彩領域情報を本人認証装置２００に送信する。
【００８９】
本人認証装置２００の制御部２１は、携帯端末１００より虹彩領域情報を受信すると、該調整された虹彩領域情報を虹彩データ生成部２４に転送し、以降は実施例１と同様に動作する。
【００９０】
〈実施例３の効果〉
実施例３の本人認証システムによれば、携帯端末１００の撮影部１０により取得される眼画像データから、その濃淡に基づいて虹彩領域情報を生成されると、該生成された虹彩領域情報に基づいて虹彩領域を示す眼画像を利用者に対して虹彩領域が有効か否かの判定をできるように表示すると共に、本人認証装置２００の認証処理を一時的に停止させ、有効の場合、携帯端末１００より有効信号を本人認証装置２００へ送信するようにしたので、本人認証装置２００によりそのまま認証を続行させることができ、無効の場合、瞬時に利用者が調整操作ボタン１６の操作で虹彩領域の調整を開始し、該調整された虹彩領域情報を本人認証装置２００へ送信するようにしたので、本人認証装置２００は、調整された虹彩領域情報により認証を続行させることができる。従って、利用者は、人的に虹彩領域を正しく設定すれば利用可能な眼画像を撮像した場合には、再撮像をすることなく虹彩領域を調整することにより、本人認証に要する時間を短縮できる。
【実施例４】
【００９１】
一般に虹彩領域は、撮影部１０が取得した眼画像データをその濃淡に基づいて解析することで抽出され、この濃淡解析は、眼画像データの開始位置から順番に解析される。しかし、上述したように濃淡解析が行われると、眼画像データにおける虹彩の含まれていない領域を多く解析する必要があることから解析に時間がかかる問題があった。そこで、本実施例では、上記の問題を解消すべく以下のような構成を備えている。
【００９２】
〈実施例４の構成〉
図１０は、実施例４の本人認証システムのブロック構成図である。
【００９３】
図１０に示すように、実施例４の本人認証システムでは、実施例１の構成に加え、携帯端末１００に眼画像中心位置の操作ボタン１７、中心位置移動部１８を備えている。
【００９４】
操作ボタン１７は、撮影部１０により取得された眼画像データに含まれる虹彩の中心位置を調整するための移動方向を示す信号を中心位置移動部１８に出力するものである。
【００９５】
この操作ボタン１７は、表示部１１の表示画面に対して、上、下、左、右、中央位置を押下可能であり、左位置を押下させると、中心位置を指定するためのカーソル（図１２参照）を左方向に移動させる左方向移動信号を出力し、上位置を押下させると、カーソルを上方向に移動させる上方向移動信号を出力し、下位置を押下させると、カーソルを下方向に移動させる下方向移動信号を出力し、右位置を押下させると、カーソルを右方向に移動させる右方向移動信号を出力し、中心位置を押下すると、カーソルが指定する位置を中心として調整完了を指示する調整完了信号を出力する。
【００９６】
中心位置移動部１８は、上述したように、該操作ボタン１７より出力される各信号に基づいて、眼画像の中心位置を移動させる部であり、撮影部１０が眼画像データを取得し、表示部１１に眼画像が表示されると、該操作ボタン１７から各信号の受け付けを開始する。そして、中心位置移動部１８は、操作ボタン１７から調整完了信号を受けると、虹彩の中心位置を示す虹彩中心位置情報を付与した眼画像データを本人認証装置２００に送信する。
【００９７】
実施例４において、虹彩領域情報生成部２３は、虹彩の中心位置を示す虹彩中心位置情報を付与した眼画像データを受けると、虹彩中心位置情報に示される中心位置から放射線状に、その濃淡を解析し、抽出すべき虹彩領域を示す虹彩領域情報を生成する機能を有していることから、より高速に虹彩領域情報を生成することができる。
【００９８】
〈実施例４の動作〉
図１１は、実施例３の本人認証システムの動作フローチャートである。
【００９９】
図１１において、ステップＳ１〜Ｓ２、Ｓ４〜Ｓ１０は、実施例１と同様であるので、ここでは、撮影部１０が取得した眼画像データの中心位置を調整する動作について説明する。
【０１００】
まず、利用者は携帯端末１００を操作して眼画像の撮影を行う。即ち、携帯端末１００の制御部１４は、利用者の操作で撮影部１０を起動すると共に、利用者から入力部１２を介して出力される撮影指示信号の入力を待つ（ステップＳ１）。
【０１０１】
撮影部１０は、利用者の操作で入力部１２より撮影指示信号を受けると、利用者の眼画像を撮像して、眼画像データを取得する（ステップＳ２）。
【０１０２】
制御部１４は、撮影部１０が眼画像データを取得すると、該取得した眼画像データを表示部１１に転送する（ステップＳ３）。表示部１１は、眼画像データを受けると、該眼画像データに基づいた眼画像を表示する。
【０１０３】
中心位置移動部１８は、表示部１１に眼画像が表示されると、操作ボタン１７から虹彩の中心位置の調整を行うための移動方向を示す信号の受け付けを開始する。
【０１０４】
中心位置移動部１８は、利用者の操作で、該操作ボタン１７が左位置に押下され、左方向移動信号を受けると、表示部１１に表示される中心位置を指定するためのカーソルを左方向に移動させ、該操作ボタン１７が上位置に押下され、上方向移動信号を受けると、カーソルを上方向に移動させ、該操作ボタン１７が下位置に押下され、下方向移動信号を受けると、カーソルを下方向に移動させ、右位置に押下され、右方向移動信号を受けると、カーソルを右方向に移動させる。そして、利用者により操作ボタン１７の中心位置が押下され、カーソルが指定する位置を中心として調整完了を指示する調整完了信号を受けると、虹彩の中心位置を示す虹彩中心位置情報を付与した眼画像データを本人認証装置２００に送信する。
【０１０５】
本人認証装置２００の制御部２１は、携帯端末１００から虹彩中心位置情報を付与した眼画像データを受信すると、該眼画像データを眼画像データ補正部２２に転送する。
【０１０６】
眼画像データ補正部２２は、眼画像データを受けると、該眼画像データに含まれる照明の映り込み等による画像ノイズの消し込み補正を行う（ステップＳ４）。
【０１０７】
虹彩領域情報生成部２３は、眼画像データ補正部２２より虹彩の中心位置を示す虹彩中心位置情報を付与した眼画像データを受けると、虹彩中心位置情報に示される中心位置から放射線状に、その濃淡を解析し、虹彩の外周部及び内周部（輪郭）を決定することで、より高速に抽出すべき虹彩領域を示す虹彩領域情報を生成する（ステップＳ５）。以降の動作は実施例１と同様である。
【０１０８】
〈実施例４の効果〉
実施例４の本人認証システムによれば、携帯端末１００の撮影部１０により取得される眼画像データの中心位置を示す虹彩中心位置情報を利用者の操作で付与した眼画像データを虹彩領域情報生成部２３が受信すると、虹彩中心位置情報に示される中心位置から放射線状に、その濃淡を解析することで高速に虹彩領域を示す虹彩領域情報を生成することができる。さらに、該生成された虹彩領域情報に基づいて虹彩領域を示す眼画像を利用者に対して虹彩領域が有効か否かの判定をできるように表示すると共に、本人認証装置２００の認証処理を一時的に停止させ、携帯端末１００より有効信号及び無効信号を本人認証装置２００へ送信するようにしたので、有効の場合、本人認証装置２００によりそのまま認証を続行させることができ、無効の場合には、利用者に対して眼画像の再撮像を指示することができる。従って、利用者は、不良な眼画像を撮像しても瞬時に再撮像を行うことができ、従って、本人認証に要する時間を短縮できる。
【実施例５】
【０１０９】
〈実施例５の構成〉
図１３は、実施例５の本人認証システムのブロック構成図である。
【０１１０】
図１３に示すように、実施例５の本人認証システムでは、実施例１の構成に加え、本人認証装置２００に補正画像ドット取得部２９、警告要否判定部３０、警告部３１を備えている。
【０１１１】
本実施例において、眼画像データ補正部２２は、眼画像データを補正すると共に、該補正した補正量を画像ドット数で示した補正画像ドット情報を生成する。
【０１１２】
補正画像ドット取得部２９は、眼画像データの補正量を示した補正画像ドット情報を取得する部であり、補正画像ドット取得部２９は、眼画像データ補正部２２が、眼画像データを補正し、補正画像ドット情報を生成すると、該補正画像ドット情報を取得する。
【０１１３】
警告要否判定部３０は、眼画像データの補正画像ドット情報より、再度、眼画像データを取得すべき警告が必要か否かを判定する部であり、図示しないメモリに本人認証装置２００が眼画像データの補正量が大きいために認証不可と判定するための基準となる画像ドット数を示した基準画像ドット情報を保持している。
【０１１４】
この警告要否判定部３０は、補正画像ドット取得部２９より補正画像ドット情報を受けると、該メモリを参照し、補正画像ドット情報及び基準画像ドット情報を比較し、補正画像ドット情報が基準画像ドット情報より大きいと、警告要と判定する。
【０１１５】
警告部３１は、警告要否判定部３０の判定に応じて、携帯端末１００に対して警告指示を行う部であり、警告要否判定部３０が警告要と判定すると、再撮影を指示する警告情報を携帯端末１００に送信する。携帯端末１００の表示部１１は、制御部１４を介して警告情報を受けると、眼画像の再撮影を指示する警告画面を表示する。
【０１１６】
これに対して、補正画像ドット情報が基準画像ドット情報より小さいと、警告要否判定部３０は、警告不要と判定し、警告部３１は、警告要否判定部３０が警告不要と判定すると、眼画像データを虹彩領域情報生成部２３に転送し、以降は実施例１と同様の認証処理を実施する。
【０１１７】
〈実施例５の動作〉
図１４は、実施例５の本人認証システムの動作フローチャートである。
【０１１８】
図１４において、ステップＳ１〜Ｓ３、Ｓ５〜Ｓ１０は、実施例１と同様であるので、ここでは、利用者の判定に基づいて警告画面を表示部１１に表示する動作について説明する。
【０１１９】
補正画像ドット取得部２９は、眼画像データ補正部２２が眼画像データを補正した補正量を画像ドット数で示した補正画像ドット情報を生成する。
【０１２０】
警告要否判定部３０は、補正画像ドット取得部２９より補正画像ドット情報を受けると、該補正画像ドット情報及び基準画像ドット情報を比較し、補正画像ドット数が基準画像ドット数より大きいと、警告要と判定する（ステップＳ４）。
【０１２１】
警告部３１は、警告要否判定部３０が警告要と判定すると、再撮影を指示する警告情報を携帯端末１００に送信する。携帯端末１００の表示部１１は、制御部１４を介して警告情報を受けると、眼画像の再撮影を指示する警告画面（図１５−ｂ参照）を表示する（ステップＳ１１）。
【０１２２】
これに対して、警告要否判定部３０は、補正画像ドット情報が基準画像ドット情報より小さいと、警告不要と判定し、警告部３１は、警告要否判定部３０が警告不要と判定すると、眼画像データを虹彩領域情報生成部２３に転送し、以降は実施例１と同様の認証処理を実施する。
【０１２３】
〈実施例５の効果〉
実施例５の本人認証システムによれば、携帯端末１００の撮影部１０により取得される眼画像データの補正量を画像ドット数で示した補正画像ドット情報を取得し、該補正画像ドット数と、判定するための基準となる画像ドット数とを比較して、補正画像ドット数が基準画像ドット数よりも大きいと、本人認証装置２００の認証処理を一時的に停止させると共に、利用者に再撮影を指示する警告を行い、利用者に対して眼画像の再撮像を指示することができ、さらに、補正画像ドット数が基準画像ドット数よりも小さいと、該取得される眼画像データから、その濃淡に基づいて虹彩領域情報が生成し、該生成された虹彩領域情報に基づいて虹彩領域を示す眼画像を利用者に対して虹彩領域が有効か否かの判定をできるように表示すると共に、本人認証装置２００の認証処理を一時的に停止させ、携帯端末１００より有効信号及び無効信号を本人認証装置２００へ送信するようにしたので、有効の場合、本人認証装置２００によりそのまま認証を続行させることができ、無効の場合には、利用者に対して眼画像の再撮像を指示することができる。従って、利用者は、不良な眼画像を撮像しても瞬時に再撮像を行うことができ、従って、本人認証に要する時間を短縮できる。また、警告情報を表示させるので、撮影位置、方向を変える等により正常な眼画像データの取得が可能となる。
【実施例６】
【０１２４】
〈実施例６の構成〉
図１６は、実施例６の本人認証システムのブロック構成図である。
【０１２５】
図１６に示すように、実施例６の本人認証システムでは、実施例５の構成に加え、本人認証装置２００に補正画像ドット位置取得部３２を備えている。
【０１２６】
本実施例において、眼画像データ補正部２２は、眼画像データを補正すると共に、該補正した画像ドット数を示す補正画像ドット情報及び補正した画像ドットの位置を示す補正ドット位置情報を生成し、該補正ドット位置情報を図示しないメモリに保持する。
【０１２７】
補正画像ドット位置取得部３２は、眼画像データにおける補正された画像ドットの位置情報を取得する部であり、警告要否判定部３０が警告要と判定すると、図示しないメモリより補正ドット位置情報を取得する。
【０１２８】
本実施例の警告部３１は、補正画像ドット位置取得部３２から補正ドット位置情報を受けると、該補正ドット位置に基づいて補正画像ドットが眼画像データに散在していると判定すると、撮影場所の変更を指示する警告情報を携帯端末１００に送信する。携帯端末１００の表示部１１は、制御部１４を介して該警告情報を受けると、眼画像の撮影場所の変更を指示する警告画面を表示する。
【０１２９】
該補正ドット位置情報に基づいて、補正画像ドットが眼画像データの特定領域に集中的に存在していると判定すると、撮影方向の変更を指示する警告情報を携帯端末１００に送信する。携帯端末１００の表示部１１は、制御部１４を介して該警告情報を受けると、眼画像の撮影方向の変更を指示する警告画面を表示する。
【０１３０】
〈実施例６の動作〉
図１７は、実施例６の本人認証システムの動作フローチャートである。
【０１３１】
図１７において、ステップＳ１〜Ｓ３、Ｓ５〜Ｓ１０は、実施例１と同様であるので、ここでは、利用者の判定に基づいて警告画面を表示部１１に表示する動作について説明する。
【０１３２】
眼画像データ補正部２２は、眼画像データを補正すると共に、該補正した画像ドット数を示す補正画像ドット情報及び補正した画像ドットの位置を示す補正ドット位置情報を生成し、該補正ドット位置情報を図示しないメモリに保持する。
【０１３３】
補正画像ドット位置取得部３２は、警告要否判定部３０が警告要と判定すると、図示しないメモリより補正ドット位置情報を取得する。
【０１３４】
警告部３１は、補正画像ドット位置取得部３２から補正ドット位置情報を受けると、該補正ドット位置に基づいて、補正画像ドットが眼画像データに散在していると判定すると、撮影場所の変更を指示する警告情報を携帯端末１００に送信する（ステップＳ１１）。携帯端末１００の表示部１１は、制御部１４を介して該警告情報を受けると、眼画像の撮影場所の変更を指示する警告画面（図１８−ｃ参照）を表示する（ステップＳ１２）。
【０１３５】
これに対して、該補正ドット位置に基づいて補正画像ドットが眼画像データの特定領域に集中的に存在していると判定すると、撮影方向の変更を指示する警告情報を携帯端末１００に送信する（ステップＳ１１）。携帯端末１００の表示部１１は、制御部１４を介して該警告情報を受けると、眼画像の撮影方向の変更を指示する警告画面（図１８−ｂ参照）を表示する（ステップＳ１３）。
【０１３６】
〈実施例６の効果〉
実施例６の本人認証システムによれば、携帯端末１００の撮影部１０により取得される眼画像データの補正すべき量を画像ドット数で示した補正画像ドット情報を取得し、該補正画像ドット数と、判定するための基準となる画像ドット数とを比較して、補正画像ドット数が基準画像ドット数よりも大きいと、本人認証装置２００の認証処理を停止させると共に、眼画像データにおける補正画像ドットの位置にしたがって警告内容を選択し、利用者に再撮影を指示する警告を行うので、利用者に対して再撮像を適切に指示することができる。さらに、補正画像ドット数が基準画像ドット数よりも小さいと、該取得された眼画像データから、その濃淡に基づいて虹彩領域情報が生成し、該生成された虹彩領域情報に基づいて虹彩領域を示す眼画像を利用者に対して虹彩領域が有効か否かの判定をできるように表示すると共に、本人認証装置２００の認証処理を一時的に停止させ、携帯端末より有効信号及び無効信号を本人認証装置２００へ送信するようにしたので、有効の場合、本人認証装置２００によりそのまま認証を続行させることができ、無効の場合には、利用者に対して眼画像の再撮像を指示することができる。従って、利用者は、不良な眼画像を撮像しても瞬時に再撮像を行うことができ、従って、本人認証に要する時間を短縮できる。また、補正画像ドット位置に基づいた警告情報を表示させるので、撮影位置、方向を変える等によりさらに正常な眼画像データの取得が可能となる。
【産業上の利用可能性】
【０１３７】
上記したいずれの実施例においても携帯端末にて眼画像データの取得から虹彩領域を特定するまでを行っていたが、眼画像データの取得から本人認証まで携帯端末にて行う構成としてもよい。また、携帯端末にて眼画像データの取得までを行い、虹彩領域を特定から本人認証までを本人認証装置にて行う構成としてもよい。
【０１３８】
上記したいずれの実施例においても携帯端末にて取得する眼画像データに虹彩の中心位置を示す中心位置情報を付加する構成を設けてもよい。これにより、本人認証装置２００の虹彩領域情報生成部２３は、該中心位置情報に基づいて虹彩領域情報を生成することにより高速に虹彩領域情報が生成できる。
【０１３９】
上記した実施例５及び６において、利用者に対する警告は、表示部１１に警告内容を表示することにより実現されていたが、警告内容をスピーカ等により音声にて警告してもよい。
利用者には、有効な虹彩領域又は無効な虹彩領域を判断するための説明を事前に配布されたマニュアル等により説明がなされていたが、虹彩領域の判定時に、有効な虹彩領域及び無効な虹彩領域の説明を示す説明画面を表示部に表示する構成としてもよい。
【０１４０】
また、図２０に示すように、利用者が携帯端末１００の撮影部１０により撮影を行う際に、表示部１１に眼画像及び撮影すべき虹彩の中心位置及び有効な虹彩サイズを示す指示線を示す画面を合成表示してもよい。これにより、利用者は、表示部１１に表示される眼画像を指示線にしたがって位置調整できる。
【０１４１】
さらに、図２１に示すように、撮影部１０が表示部１１の反対側に設けられている携帯端末１００であった場合に、予め撮影すべき虹彩の中心位置及び有効な虹彩サイズを示す指示線が描画された反射シートを撮影部１０の下方位置に貼り付けてもよい。これにより、利用者は、反射シートに写る眼画像を指示線にしたがって位置調整できる。
【図面の簡単な説明】
【０１４２】
【図１】本発明の一実施の形態を示す概略構成図。
【図２】実施例１の本人認証システムのブロック構成図。
【図３】実施例１の本人認証システムの動作フローチャート。
【図４】実施例２の本人認証システムのブロック構成図。
【図５】実施例２の本人認証システムの動作フローチャート。
【図６】実施例２の表示部による眼画像の調整動作例を示す図。
【図７】実施例３の本人認証システムのブロック構成図。
【図８】実施例３の本人認証システムの動作フローチャート。
【図９】実施例３の表示部による眼画像の調整動作例を示す図。
【図１０】実施例４の本人認証システムのブロック構成図。
【図１１】実施例４の本人認証システムの動作フローチャート。
【図１２】実施例４の表示部による眼画像の中心位置の調整例を示す図。
【図１３】実施例５の本人認証システムのブロック構成図。
【図１４】実施例５の本人認証システムの動作フローチャート。
【図１５】実施例５の表示部による警告表示例を示す図。
【図１６】実施例６の本人認証システムのブロック構成図。
【図１７】実施例６の本人認証システムの動作フローチャート。
【図１８】実施例６の表示部による警告表示例を示す図。
【図１９】有効な虹彩領域及び無効な虹彩領域の説明図。
【図２０】眼画像の位置調整についての説明図。
【図２１】眼画像の位置調整についての説明図。
【符号の説明】
【０１４３】
１００  携帯端末
１０  撮影部
１１  表示部
１２  入力部
１３  指示制御部
１４  制御部
１５  虹彩領域調整部
１６  調整操作ボタン
１７  操作ボタン
１８  中心位置移動部
２００  本人認証装置
２１  制御部
２２  眼画像データ補正部
２３  虹彩領域情報生成部
２４  虹彩データ生成部
２５  登録虹彩データ記憶部
２６  認証部
２７  設定虹彩領域情報記憶部
２８  虹彩領域変更部
２９  補正画像ドット取得部
３０  警告要否判定部
３１  警告部
３２  補正画像ドット位置取得部
【図１】
2006201920.tif 000003
【図２】
2006201920.tif 000004
【図３】
2006201920.tif 000005
【図４】
2006201920.tif 000006
【図５】
2006201920.tif 000007
【図６】
2006201920.tif 000008
【図７】
2006201920.tif 000009
【図８】
2006201920.tif 000010
【図９】
2006201920.tif 000011
【図１０】
2006201920.tif 000012
【図１１】
2006201920.tif 000013
【図１２】
2006201920.tif 000014
【図１３】
2006201920.tif 000015
【図１４】
2006201920.tif 000016
【図１５】
2006201920.tif 000017
【図１６】
2006201920.tif 000018
【図１７】
2006201920.tif 000019
【図１８】
2006201920.tif 000020
【図１９】
2006201920.tif 000021
【図２０】
2006201920.tif 000022
【図２１】
2006201920.tif 000023